(57)【特許請求の範囲】
【請求項１】
税公金情報を入力可能な、複数のフィールドを含むフィールド群を表示画面に複数件数表示させる表示制御部と、
バーコードの読み取りに基づいて前記税公金情報が取得された場合に、前記税公金情報に含まれる複数のフィールドデータの各々を、一件の前記フィールド群に含まれる前記複数のフィールドの各々に入力するデータ入力部と、
一件の前記フィールド群に含まれる前記複数のフィールドに前記税公金情報をキー入力により入力させるキー入力部と、
を備え、
前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、
前記キー入力に基づいて前記複数のフィールドに前記税公金情報が入力された場合には、前記複数のフィールドを修正可能な形式に設定して表示させ、
前記データ入力部により前記税公金情報が前記複数のフィールドに入力された後に、前記税公金情報に含まれる所定の種類のフィールドデータが前記表示画面においてユーザにより削除された場合に、前記税公金情報一件全体を削除するデータ削除部を備える、
情報処理装置。
【請求項２】
税公金情報を入力可能な、複数のフィールドを含むフィールド群を表示画面に複数件数表示させる表示制御部と、
バーコードの読み取りに基づいて前記税公金情報が取得された場合に、前記税公金情報に含まれる複数のフィールドデータの各々を、一件の前記フィールド群に含まれる前記複数のフィールドの各々に入力するとともに、
前記複数件数のフィールド群のうち、カーソルが位置するフィールドを含むフィールド群に含まれる少なくとも１以上のフィールドにフィールドデータが入力されており、かつ、他のバーコードの読み取りに基づいて他の税公金情報が取得された場合には、前記他の税公金情報を前記複数件数のフィールド群のいずれにも入力しないデータ入力部と、
一件の前記フィールド群に含まれる前記複数のフィールドに前記税公金情報をキー入力により入力させるキー入力部と、
を備え、
前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、
前記キー入力に基づいて前記複数のフィールドに前記税公金情報が入力された場合には、前記複数のフィールドを修正可能な形式に設定して表示させる、
情報処理装置。
【請求項３】
税公金情報を入力可能な、複数のフィールドを含むフィールド群を表示画面に複数件数表示させる表示制御部と、
バーコードの読み取りに基づいて前記税公金情報が取得された場合に、前記税公金情報に含まれる複数のフィールドデータの各々を、一件の前記フィールド群に含まれる前記複数のフィールドの各々に入力するデータ入力部と、
一件の前記フィールド群に含まれる前記複数のフィールドに前記税公金情報をキー入力により入力させるキー入力部と、
を備え、
前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、
前記キー入力に基づいて前記複数のフィールドに前記税公金情報が入力された場合には、前記複数のフィールドを修正可能な形式に設定して表示させるとともに、
前記表示画面の表示中に読み取られたバーコードと同一のバーコードが再度読み取られた場合には、エラーメッセージを前記表示画面に表示させ、
前記データ入力部は、前記バーコードの再度の読み取りに基づいて取得される税公金情報を前記複数件数のフィールド群のいずれにも入力しない、
情報処理装置。
【請求項４】
前記データ入力部は、前記バーコードが読み取られた場合に、前記バーコードから取得される収納を特定する情報と、前記情報処理装置が設置されている店舗の店舗情報とに基づいて前記税公金情報を取得し、取得された税公金情報に含まれる複数のフィールドデータの各々を前記複数のフィールドの各々に入力する、請求項１〜３のいずれか一項に記載の情報処理装置。
【請求項５】
前記情報処理装置は、前記バーコードが読み取られた場合に、納付金、納付期限、および、収納を特定する情報を前記バーコードから取得するバーコードデータ取得部と、
前記バーコードデータ取得部により取得された情報と、前記情報処理装置が設置されている店舗の店舗情報とに基づいて延滞金、督促手数料、または、手数料を取得する付加料金データ取得部と、をさらに備え、
前記データ入力部は、前記バーコードデータ取得部により取得された情報と、前記付加料金データ取得部により取得された情報とを区別して前記複数のフィールドの各々に入力する、請求項４に記載の情報処理装置。
【請求項６】
コンピュータを、
税公金情報を入力可能な、複数のフィールドを含むフィールド群を表示画面に複数件数表示させる表示制御部と、
バーコードの読み取りに基づいて前記税公金情報が取得された場合に、前記税公金情報に含まれる複数のフィールドデータの各々を、一件の前記フィールド群に含まれる前記複数のフィールドの各々に入力するデータ入力部と、
一件の前記フィールド群に含まれる前記複数のフィールドに前記税公金情報をキー入力により入力させるキー入力部、
として機能させるための、プログラムであって、
前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、
前記キー入力に基づいて前記複数のフィールドに前記税公金情報が入力された場合には、前記複数のフィールドを修正可能な形式に設定して表示させ、
前記データ入力部により前記税公金情報が前記複数のフィールドに入力された後に、前記税公金情報に含まれる所定の種類のフィールドデータが前記表示画面においてユーザにより削除された場合に、前記税公金情報一件全体を削除するデータ削除部を備える、
プログラム。
【請求項７】
コンピュータを、
税公金情報を入力可能な、複数のフィールドを含むフィールド群を表示画面に複数件数表示させる表示制御部と、
バーコードの読み取りに基づいて前記税公金情報が取得された場合に、前記税公金情報に含まれる複数のフィールドデータの各々を、一件の前記フィールド群に含まれる前記複数のフィールドの各々に入力するとともに、
前記複数件数のフィールド群のうち、カーソルが位置するフィールドを含むフィールド群に含まれる少なくとも１以上のフィールドにフィールドデータが入力されており、かつ、他のバーコードの読み取りに基づいて他の税公金情報が取得された場合には、前記他の税公金情報を前記複数件数のフィールド群のいずれにも入力しないデータ入力部と、
一件の前記フィールド群に含まれる前記複数のフィールドに前記税公金情報をキー入力により入力させるキー入力部、
として機能させるための、プログラムであって、
前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、
前記キー入力に基づいて前記複数のフィールドに前記税公金情報が入力された場合には、前記複数のフィールドを修正可能な形式に設定して表示させる、
プログラム。
【請求項８】
コンピュータを、
税公金情報を入力可能な、複数のフィールドを含むフィールド群を表示画面に複数件数表示させる表示制御部と、
バーコードの読み取りに基づいて前記税公金情報が取得された場合に、前記税公金情報に含まれる複数のフィールドデータの各々を、一件の前記フィールド群に含まれる前記複数のフィールドの各々に入力するデータ入力部と、
一件の前記フィールド群に含まれる前記複数のフィールドに前記税公金情報をキー入力により入力させるキー入力部、
として機能させるための、プログラムであって、
前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、
前記キー入力に基づいて前記複数のフィールドに前記税公金情報が入力された場合には、前記複数のフィールドを修正可能な形式に設定して表示させるとともに、
前記表示画面の表示中に読み取られたバーコードと同一のバーコードが再度読み取られた場合には、エラーメッセージを前記表示画面に表示させ、
前記データ入力部は、前記バーコードの再度の読み取りに基づいて取得される税公金情報を前記複数件数のフィールド群のいずれにも入力しない、
プログラム。
【発明の詳細な説明】
【技術分野】
【０００１】
本発明は、情報処理装置、及びプログラムに関する。
【背景技術】
【０００２】
従来、金融機関では、例えば依頼書などの帳票に記載された内容に基づいて、各種の手続きが行われている。例えば、特許文献１には、税公金の納付書がＯＨＲ装置で読み取られた画像データに基づいて、当該納付書に記載された納付金額および納付期限を識別する技術が記載されている。
【０００３】
また、同じ表示画面において、帳票に印刷されたバーコードの読み取りに基づいたデータの入力と、ユーザの手入力によるデータの入力との両方を可能にする技術も提案されている。例えば、特許文献２には、税公金の納付書にバーコードが記載されている場合には、当該バーコードから読み取られるバーコード情報に基づいて、例えば納付書の種類や額面金額などの納付書情報を特定して画面に表示し、また、税公金の納付書にバーコードが記載されていない場合には、ユーザにより手入力された納付書情報を画面に表示する技術が記載されている。
【０００４】
また、バーコードが二重に読み取られた場合に同じ処理が二回実行されることを防止するための技術も提案されている。例えば、特許文献３には、請求書に印刷されているバーコードから読み取られたバーコード情報から変換されるハッシュ値と、サーバが記憶しているハッシュ値とを比較することにより、該当のバーコードに基づいた支払がすでに完了しているか否かを判定する技術が記載されている。
【先行技術文献】
【特許文献】
【０００５】
【特許文献１】特開２００３−１６２６４３号公報
【特許文献２】特開２０１４−２０３３８８号公報
【特許文献３】特開２００９−１８７５０１号公報
【発明の概要】
【発明が解決しようとする課題】
【０００６】
しかしながら、特許文献２に記載の技術では、一旦入力された納付書情報をユーザが修正することを希望する場合には、入力済みの全ての納付書情報を一括して削除する必要がある。つまり、特許文献２に記載の技術では、入力済みの複数の納付書情報のうちの一部の情報だけをユーザは修正したり、削除することができない。このため、特許文献２に記載の技術では、ユーザの利便性が低い。
【０００７】
そこで、本発明は、上記問題に鑑みてなされたものであり、本発明の目的とするところは、税公金情報をバーコードの読み取りおよびキー入力により入力可能な場面において、ユーザの入力の利便性を向上させることが可能な、新規かつ改良された情報処理装置、及びプログラムを提供することにある。
【課題を解決するための手段】
【０００８】
上記課題を解決するために、本発明のある観点によれば、税公金情報を入力可能な、複数のフィールドを含むフィールド群を表示画面に複数件数表示させる表示制御部と、バーコードの読み取りに基づいて前記税公金情報が取得された場合に、前記税公金情報に含まれる複数のフィールドデータの各々を、一件の前記フィールド群に含まれる前記複数のフィールドの各々に入力するデータ入力部と、一件の前記フィールド群に含まれる前記複数のフィールドに前記税公金情報をキー入力により入力させるキー入力部と、を備え、前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、前記キー入力に基づいて前記複数のフィールドに前記税公金情報が入力された場合には、前記複数のフィールドを修正可能な形式に設定して表示させ、前記データ入力部により前記税公金情報が前記複数のフィールドに入力された後に、前記税公金情報に含まれる所定の種類のフィールドデータが前記表示画面においてユーザにより削除された場合に、前記税公金情報一件全体を削除するデータ削除部を備える、情報処理装置が提供される。
また、上記課題を解決するために、本発明の別の観点によれば、税公金情報を入力可能な、複数のフィールドを含むフィールド群を表示画面に複数件数表示させる表示制御部と、バーコードの読み取りに基づいて前記税公金情報が取得された場合に、前記税公金情報に含まれる複数のフィールドデータの各々を、一件の前記フィールド群に含まれる前記複数のフィールドの各々に入力するとともに、前記複数件数のフィールド群のうち、カーソルが位置するフィールドを含むフィールド群に含まれる少なくとも１以上のフィールドにフィールドデータが入力されており、かつ、他のバーコードの読み取りに基づいて他の税公金情報が取得された場合には、前記他の税公金情報を前記複数件数のフィールド群のいずれにも入力しないデータ入力部と、一件の前記フィールド群に含まれる前記複数のフィールドに前記税公金情報をキー入力により入力させるキー入力部と、を備え、前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、前記キー入力に基づいて前記複数のフィールドに前記税公金情報が入力された場合には、前記複数のフィールドを修正可能な形式に設定して表示させる、情報処理装置が提供される。
また、上記課題を解決するために、本発明の別の観点によれば、税公金情報を入力可能な、複数のフィールドを含むフィールド群を表示画面に複数件数表示させる表示制御部と、バーコードの読み取りに基づいて前記税公金情報が取得された場合に、前記税公金情報に含まれる複数のフィールドデータの各々を、一件の前記フィールド群に含まれる前記複数のフィールドの各々に入力するデータ入力部と、一件の前記フィールド群に含まれる前記複数のフィールドに前記税公金情報をキー入力により入力させるキー入力部と、を備え、前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、前記キー入力に基づいて前記複数のフィールドに前記税公金情報が入力された場合には、前記複数のフィールドを修正可能な形式に設定して表示させるとともに、前記表示画面の表示中に読み取られたバーコードと同一のバーコードが再度読み取られた場合には、エラーメッセージを前記表示画面に表示させ、前記データ入力部は、前記バーコードの再度の読み取りに基づいて取得される税公金情報を前記複数件数のフィールド群のいずれにも入力しない、情報処理装置が提供される。

【０００９】
前記データ入力部は、前記バーコードが読み取られた場合に、前記バーコードから取得される収納を特定する情報と、前記情報処理装置が設置されている店舗の店舗情報とに基づいて前記税公金情報を取得し、取得された税公金情報に含まれる複数のフィールドデータの各々を前記複数のフィールドの各々に入力してもよい。
【００１０】
前記情報処理装置は、前記バーコードが読み取られた場合に、納付金、納付期限、および、収納を特定する情報を前記バーコードから取得するバーコードデータ取得部と、前記バーコードデータ取得部により取得された情報と、前記情報処理装置が設置されている店舗の店舗情報とに基づいて延滞金、督促手数料、または、手数料を取得する付加料金データ取得部と、をさらに備え、前記データ入力部は、前記バーコードデータ取得部により取得された情報と、前記付加料金データ取得部により取得された情報とを区別して前記複数のフィールドの各々に入力してもよい。
【００１４】
また、上記課題を解決するために、本発明の別の観点によれば、コンピュータを、税公金情報を入力可能な、複数のフィールドを含むフィールド群を表示画面に複数件数表示させる表示制御部と、バーコードの読み取りに基づいて前記税公金情報が取得された場合に、前記税公金情報に含まれる複数のフィールドデータの各々を、一件の前記フィールド群に含まれる前記複数のフィールドの各々に入力するデータ入力部と、一件の前記フィールド群に含まれる前記複数のフィールドに前記税公金情報をキー入力により入力させるキー入力部、として機能させるための、プログラムであって、前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、前記キー入力に基づいて前記複数のフィールドに前記税公金情報が入力された場合には、前記複数のフィールドを修正可能な形式に設定して表示させ、前記データ入力部により前記税公金情報が前記複数のフィールドに入力された後に、前記税公金情報に含まれる所定の種類のフィールドデータが前記表示画面においてユーザにより削除された場合に、前記税公金情報一件全体を削除するデータ削除部を備える、プログラムが提供される。
また、上記課題を解決するために、本発明の別の観点によれば、コンピュータを、税公金情報を入力可能な、複数のフィールドを含むフィールド群を表示画面に複数件数表示させる表示制御部と、バーコードの読み取りに基づいて前記税公金情報が取得された場合に、前記税公金情報に含まれる複数のフィールドデータの各々を、一件の前記フィールド群に含まれる前記複数のフィールドの各々に入力するとともに、前記複数件数のフィールド群のうち、カーソルが位置するフィールドを含むフィールド群に含まれる少なくとも１以上のフィールドにフィールドデータが入力されており、かつ、他のバーコードの読み取りに基づいて他の税公金情報が取得された場合には、前記他の税公金情報を前記複数件数のフィールド群のいずれにも入力しないデータ入力部と、一件の前記フィールド群に含まれる前記複数のフィールドに前記税公金情報をキー入力により入力させるキー入力部、として機能させるための、プログラムであって、前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、前記キー入力に基づいて前記複数のフィールドに前記税公金情報が入力された場合には、前記複数のフィールドを修正可能な形式に設定して表示させる、プログラムが提供される。
また、上記課題を解決するために、本発明の別の観点によれば、コンピュータを、税公金情報を入力可能な、複数のフィールドを含むフィールド群を表示画面に複数件数表示させる表示制御部と、バーコードの読み取りに基づいて前記税公金情報が取得された場合に、前記税公金情報に含まれる複数のフィールドデータの各々を、一件の前記フィールド群に含まれる前記複数のフィールドの各々に入力するデータ入力部と、一件の前記フィールド群に含まれる前記複数のフィールドに前記税公金情報をキー入力により入力させるキー入力部、として機能させるための、プログラムであって、前記表示制御部は、前記バーコードの読み取りに基づいて前記複数のフィールドに前記税公金情報が入力された場合には、前記複数のフィールドを修正不可能かつ前記税公金情報一件全体の削除が可能となるような形式に設定して表示させ、前記キー入力に基づいて前記複数のフィールドに前記税公金情報が入力された場合には、前記複数のフィールドを修正可能な形式に設定して表示させるとともに、前記表示画面の表示中に読み取られたバーコードと同一のバーコードが再度読み取られた場合には、エラーメッセージを前記表示画面に表示させ、前記データ入力部は、前記バーコードの再度の読み取りに基づいて取得される税公金情報を前記複数件数のフィールド群のいずれにも入力しない、プログラムが提供される。
【発明の効果】
【００１５】
以上説明したように本発明によれば、税公金情報をバーコードの読み取りおよびキー入力により入力可能な場面において、ユーザの入力の利便性を向上させることができる。
【図面の簡単な説明】
【００１６】
【図１】本実施形態による取引システムの構成例を示した説明図である。
【図２】税公金納付依頼書の構成例を示した説明図である。
【図３】同実施形態による税公金納付画面の表示例を示した説明図である。
【図４】同実施形態による営業店端末１０の構成例を示した機能ブロック図である。
【図５】同実施形態によるバーコードの読み取りに基づいて納付データが自動入力された後の税公金納付画面の表示例を示した説明図である。
【図６】同実施形態による納付データがキー入力された後の税公金納付画面の表示例を示した説明図である。
【図７】同実施形態による別のバーコードの読み取りに基づいて納付データが自動入力された後の税公金納付画面の表示例を示した説明図である。
【図８】同実施形態によるバーコードの読み取りによる納付データの入力が不可となる場合の税公金納付画面の表示例を示した説明図である。
【図９】同実施形態によるバーコードの二重読み取り時におけるエラーメッセージの表示例を示した説明図である。
【図１０】同実施形態による、バーコードの読み取りに基づいて入力された納付データが削除される場合の操作例を示した説明図である。
【図１１】同実施形態による、バーコードの読み取りに基づいて入力された納付データが削除された後の税公金納付画面の表示例を示した説明図である。
【図１２】同実施形態による、バーコードの読み取りに基づいて入力された納付データが削除された後の税公金納付画面の別の表示例を示した説明図である。
【図１３】同実施形態による動作の一部を示したフローチャートである。
【図１４】同実施形態による動作の一部を示したフローチャートである。
【図１５】同実施形態による営業店端末１０のハードウェア構成を示した説明図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて営業店端末１０ａおよび営業店端末１０ｂのように区別する。ただし、実質的に同一の機能構成を有する複数の構成要素の各々を特に区別する必要がない場合、同一符号のみを付する。例えば、営業店端末１０ａおよび営業店端末１０ｂを特に区別する必要が無い場合には、単に営業店端末１０と称する。
【００１９】
また、以下に示す項目順序に従って当該「発明を実施するための形態」を説明する。
１．取引システムの基本構成
２．実施形態の詳細な説明
３．ハードウェア構成
４．変形例
【００２０】
＜＜１．取引システムの基本構成＞＞
＜１−１．基本構成＞
本発明は、一例として「２．実施形態の詳細な説明」において詳細に説明するように、多様な形態で実施され得る。最初に、本実施形態による取引システムの基本構成について、図１を参照して説明する。
【００２１】
図１に示したように、本実施形態による取引システムは、営業店端末１０、サーバ２０、ホスト３０、および専用網３２を含む。
【００２２】
［１−１−１．営業店端末１０］
営業店端末１０は、本発明における情報処理装置の一例である。営業店端末１０は、金融機関における営業店２の窓口４に設置されている端末である。この営業店端末１０は、例えば来店した顧客により依頼される各種の手続を処理するために、窓口４のテラーにより利用される。例えば、テラーは、税公金納付依頼書を顧客から受け取った場合には、税公金納付依頼書に基づいた納付手続を営業店端末１０を用いて行う。また、税公金納付依頼書は、原則として、例えば国や地方自治体などの行政機関や、電力会社などの公共機関によって印刷される依頼書である。
【００２３】
例えば、図２に示したような、バーコードが印刷されている税公金納付依頼書（以下、バーコード付き納付依頼書と称する）を顧客から受け取ると、テラーは、受け取ったバーコード付き納付依頼書に含まれるバーコードを営業店端末１０にスキャンさせる。そして、営業店端末１０は、納付処理を行うための税公金納付画面において、スキャンされたバーコードに対応する納付データを自動入力することにより取引を行うことが可能である。なお、納付データは、本発明における税公金情報の一例である。
【００２４】
また、バーコードが付いていない税公金納付依頼書（以下、バーコード無し納付依頼書と称する）を顧客から受け取ると、テラーは、受け取ったバーコード無し納付依頼書の記載内容に基づいて、税公金納付画面において、後述する入力部１２４を用いて納付データをキー入力する。
【００２５】
図３は、税公金納付画面の表示例（税公金納付画面５０）を示した説明図である。図３に示したように、税公金納付画面５０は、複数の項目欄５００、合計取引金額表示欄５０２、および、合計手数料表示欄５０４を含む。ここで、項目欄５００は、本発明におけるフィールド群の一例である。この項目欄５００は、一件の納付データが入力される入力領域であり、かつ、納付データに含まれる複数のフィールドデータの各々を入力するための複数のフィールドを含む。例えば、項目欄５００は、種別フィールド５０００、納付金フィールド５００２、延滞金フィールド５００４、督促手数料フィールド５００６、納付期限フィールド５００８、および、手数料フィールド５０１０を含む。また、合計取引金額表示欄５０２には、税公金納付画面５０において入力された全ての納付データの取引金額の合計金額が自動的に算出され、そして表示される。なお、一件の納付データの取引金額は、当該納付データにおける例えば納付金、延滞金、督促手数料、および、手数料の合計金額である。また、合計手数料表示欄５０４には、税公金納付画面５０において入力された全ての納付データの手数料の合計金額が自動的に算出され、そして表示される。
【００２６】
また、営業店端末１０は、例えば専用網３２などを介して、サーバ２０またはホスト３０との間で情報の送受信を行うことが可能である。例えば、営業店端末１０は、入力された納付データに基づいた取引の実行要求をホスト３０へ送信する。
【００２７】
［１−１−２．サーバ２０］
サーバ２０は、取引システムで利用される各種のデータベースを管理するための装置である。例えば、サーバ２０は、図１に示したように、税金公共料金の納付手続のために必要な情報が格納されているデータベースである税公金マスタ２２を記憶する。
【００２８】
［１−１−３．ホスト３０］
ホスト３０は、入出金や振込などの各種の金銭取引（勘定の取引）を処理するための装置である。
【００２９】
［１−１−４．専用網３２］
専用網３２は、金融機関内の情報の送受信に利用されるネットワークである。専用網３２は、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網により構成される。
【００３０】
以上、本実施形態による取引システムの構成について説明した。本実施形態による営業店端末１０は、税公金納付画面において納付データをバーコードの読み取りおよびキー入力により入力可能であり、かつ、テラーの入力の利便性を向上させることが可能である。
【００３１】
＜＜２．実施形態の詳細な説明＞＞
＜２−１．構成＞
次に、本実施形態による構成について詳細に説明する。図４は、本実施形態による営業店端末１０の構成を示した機能ブロック図である。図４に示したように、営業店端末１０は、制御部１００、通信部１２０、表示部１２２、入力部１２４、スキャン部１２６、および、記憶部１２８を有する。
【００３２】
［２−１−１．制御部１００］
制御部１００は、営業店端末１０に内蔵される、後述するＣＰＵ（Ｃｅｎｔｒａｌ  Ｐｒｏｃｅｓｓｉｎｇ  Ｕｎｉｔ）１５０、ＲＡＭ（Ｒａｎｄｏｍ  Ａｃｃｅｓｓ  Ｍｅｍｏｒｙ）１５４などのハードウェアを用いて、営業店端末１０の動作を全般的に制御する。また、図４に示したように、制御部１００は、納付データ取得部１０２、データ入力部１０８、表示制御部１１０、フィールド設定部１１２、データ削除部１１４、および、取引実行部１１６を有する。
【００３３】
［２−１−２．納付データ取得部１０２］
納付データ取得部１０２は、バーコード付き納付依頼書に含まれるバーコードが、後述するスキャン部１２６によりスキャンされた画像に基づいて、納付データを取得する。また、納付データ取得部１０２は、図４に示したように、バーコードデータ取得部１０４、および、付加料金データ取得部１０６を含む。
【００３４】
［２−１−３．バーコードデータ取得部１０４］
バーコードデータ取得部１０４は、バーコード付き納付依頼書に含まれるバーコードがスキャンされた画像に基づいて、バーコードに格納されている情報を取得する。例えば、バーコードデータ取得部１０４は、バーコードがスキャンされた画像に基づいて、バーコードデータ、納付金、および、納付期限を取得する。ここで、バーコードデータは、本発明における収納を特定する情報の一例である。このバーコードデータは、例えば、発行済みの個々のバーコードを識別するためのデータである。
【００３５】
［２−１−４．付加料金データ取得部１０６］
付加料金データ取得部１０６は、バーコードデータ取得部１０４により取得されたバーコードデータ、納付金、および、納付期限と、例えば営業店端末１０が設置されている営業店の店舗情報との４種類の情報に基づいて、付加料金の金額を取得する。例えば、納付データ取得部１０２は、取得されたバーコードデータ、納付金、および、納付期限と、営業店端末１０が設置されている営業店の店舗情報とに基づいて、後述する税公金マスタ１３０に格納されている情報を参照することにより、付加料金の金額を取得する。ここで、付加料金は、例えば、延滞金、督促手数料、および、手数料を含む。
【００３６】
（２−１−４−１．税公金マスタ１３０）
税公金マスタ１３０は、税金公共料金の手続のために必要な情報が格納されているデータベースである。例えば、サーバ２０に格納されている税公金マスタ２２の登録情報がファイル転送により営業店端末１０に転送されることにより、税公金マスタ１３０は作成・更新される。また、税公金マスタ１３０は、後述する記憶部１２８に記憶され得る。
【００３７】
この税公金マスタ１３０では、例えば、バーコードデータ、納付金、納付期限、店舗情報、および、付加料金の金額が対応付けられている。
【００３８】
［２−１−５．データ入力部１０８］
（２−１−５−１．入力制御例１）
データ入力部１０８は、納付データ取得部１０２により取得された納付データに含まれる複数のフィールドデータの各々を、税公金納付画面における一つの項目欄に含まれる複数のフィールドの各々に自動入力する。例えば、データ入力部１０８は、バーコードデータ取得部１０４により取得された情報と、付加料金データ取得部１０６により取得された情報とを区別して、一つの項目欄に含まれる複数のフィールドの各々に自動入力する。
【００３９】
図５は、図２に示したバーコード付き税公金納付依頼書４０におけるバーコード４００から納付データ取得部１０２により取得された納付データが、図３に示した税公金納付画面５０において自動入力される入力例を示した説明図である。図５に示したように、データ入力部１０８は、納付データ取得部１０２により取得された納付データに含まれる複数のフィールドデータの各々を、項目欄５００ａに含まれる複数のフィールドの各々に自動入力する。
【００４０】
図６は、図５に示した税公金納付画面５０の状態において、新たな納付データが項目欄５００ｂにキー入力された後の税公金納付画面５０の表示例を示した説明図である。また、図７は、図６に示した税公金納付画面５０の状態、つまり項目欄５００ｂに対する納付データのキー入力が完了した状態において、新たなバーコードの読み取りに基づいて納付データ取得部１０２により取得された新たな納付データが入力された後の税公金納付画面５０の表示例を示した説明図である。図７に示したように、データ入力部１０８は、新たに取得された納付データに含まれる複数のフィールドデータの各々を、項目欄５００ｃにおける複数のフィールドの各々に自動入力する。
【００４１】
（２−１−５−２．入力制御例２）
なお、税公金納付画面においてカーソルが位置する項目欄に含まれる少なくとも１以上のフィールドにデータが入力されている状態で、バーコードの読み取りに基づいて納付データが取得された場合には、データ入力部１０８は、取得された納付データをいずれの項目欄にも入力しない。例えば、上記の場合には、データ入力部１０８は、取得された納付データを破棄する。
【００４２】
図８は、バーコードの読み取りに基づいて取得される納付データが税公金納付画面５０に入力不可となる３種類のケースを示した説明図である。この３種類のケースはいずれも、カーソルが位置する項目欄に含まれる少なくともいずれかのフィールドにデータが入力済みである場合である。なお、図８では、説明の都合上、３個のカーソル５１０（カーソル５１０ａ〜カーソル５１０ｃ）を税公金納付画面５０上に記載しているが、実際には、カーソル５１０は一個だけしか税公金納付画面５０に表示されない。
【００４３】
例えば、図８に示した項目欄５００ａは、バーコードの読み取りに基づいて項目欄５００ａに納付データが自動入力された後に、テラーによりカーソルが項目欄５００ａの種別フィールド５０００に移動された状態を示している。また、項目欄５００ｂは、テラーにより項目欄５００ｂに納付データがキー入力された後に、テラーによりカーソルが項目欄５００ｂの種別フィールド５０００に移動された状態を示している。また、項目欄５００ｃは、バーコードの読み取りに基づいて項目欄５００ｃに自動入力された納付データの削除操作が未完了である状態を示している。ここで、自動入力された納付データの削除操作とは、例えば、まず、該当の項目欄５００の種別フィールド５０００に入力されているフィールドデータをテラーが例えば「ＢＳキー」などを押下することにより消去し、そして、カーソルが種別フィールド５０００に位置した状態で、キーボードにおけるタブキーをテラーが押下する操作である。
【００４４】
図８に示した項目欄５００ａ〜項目欄５００ｃの３種類のケースでは、データ入力部１０８は、納付データ取得部１０２により納付データが新たに取得されたとしても、取得された納付データをいずれの項目欄にも入力しない。この制御例によれば、カーソルが位置する項目欄に含まれる全てのフィールドが未入力である場合（例えば図８に示した項目欄５００ｄの場合）にのみ、バーコードの読み取りに基づいた納付データの入力が許可される。これにより、テラーのオペレーションミスの発生を防止することができる。
【００４５】
（２−１−５−２．入力制御例３）
また、税公金納付画面の表示中に、すでに読み取られたバーコードと同一のバーコードが再度読み取られた場合には、データ入力部１０８は、バーコードの再度の読み取りに基づいて取得された納付データをいずれの項目欄にも入力しない。この制御例によれば、仮にテラーが同じバーコードを誤って２回以上スキャンした場合であっても、誤った取引金額で取引が実行されることを防止することができる。
【００４６】
［２−１−６．表示制御部１１０］
（２−１−６−１．表示制御例１）
表示制御部１１０は、後述する入力部１２４に対するテラーの入力に基づいて、税公金納付画面を表示部１２２に表示させる。また、表示制御部１１０は、データ入力部１０８により自動入力された納付データを、税公金納付画面における該当の項目欄に表示させる。
【００４７】
また、表示制御部１１０は、データ入力部１０８により納付データが入力された項目欄に関して、当該項目欄に含まれる複数のフィールドの各々の表示態様を他のフィールドの表示態様と異ならせる。より具体的には、表示制御部１１０は、データ入力部１０８により納付データが入力された項目欄に含まれる、後述するフィールド設定部１１２によりプロテクト設定された複数のフィールドの各々の表示態様を他のフィールドの表示態様と異ならせる。例えば、図５に示したように、表示制御部１１０は、データ入力部１０８により納付データが入力された項目欄５００ａに関して、種別フィールド５０００以外のフィールドの表示色を通常のフィールド（例えばフィールドデータが入力されていないフィールドなど）の表示色と異ならせて表示させる。なお、この場合、種別フィールド５０００に関しては、通常のフィールドと同じ色で表示させてもよいし、または、さらに別の色で表示させてもよい。この表示例によれば、納付データが自動入力された場合の種別フィールド５０００は、他のフィールドとは性質が異なること、つまり、種別フィールド５０００に自動入力されたフィールドデータに関してはテラーが直接削除可能であり、かつ、他のフィールドに自動入力されたフィールドデータに関してはテラーが直接削除することは不可能であることを明示することができる。
【００４８】
また、税公金納付画面においてテラーにより納付データがキー入力された場合に関しても、表示制御部１１０は、入力された納付データを税公金納付画面に表示させる。例えば、表示制御部１１０は、一つの項目欄における複数のフィールドの各々にフィールドデータがキー入力される度に、入力されたフィールドデータを該当のフィールドに表示させる。なお、図６に示したように、納付データが（一つの項目欄における）各フィールドにキー入力される場合には、表示制御部１１０は、各フィールドの表示色を通常の表示色で表示させる。
【００４９】
（２−１−６−２．表示制御例２）
また、税公金納付画面の表示中に、すでに読み取られたバーコードと同一のバーコードが再度読み取られた場合には、表示制御部１１０は、例えば図９に示したエラーメッセージ５２０のように、エラーメッセージを税公金納付画面に表示させる。
【００５０】
［２−１−７．フィールド設定部１１２］
フィールド設定部１１２は、データ入力部１０８により納付データが入力された項目欄に含まれる複数のフィールドの各々にプロテクト設定を行う。例えば、フィールド設定部１１２は、データ入力部１０８により納付データが入力された項目欄に含まれる複数のフィールドのうち種別フィールド以外の全てのフィールドの各々にプロテクト設定を行う。また、フィールド設定部１１２は、ユーザにより納付データがキー入力された項目欄に関しては、いずれのフィールドにもプロテクト設定を行わない。なお、プロテクト設定とは、フィールドに入力済みのフィールドデータをユーザが直接修正することができないようにフィールドを設定することである。
【００５１】
［２−１−８．データ削除部１１４］
データ削除部１１４は、データ入力部１０８により入力された納付データに対する上記の削除操作がテラーによりなされた場合には、該当の納付データ一件全体を削除する。また、データ削除部１１４は、納付データを削除した際、当該納付データが入力されていた項目欄に含まれる複数のフィールドの各々に設定されていたプロテクト設定を解除する。
【００５２】
ここで、図１０〜図１２を参照して、上記の機能についてより詳細に説明する。図１０に示したように、まず、削除することを希望する項目欄（図１０に示した例では項目欄５００ａ）の種別フィールドにカーソル５１０が移動され、そして、例えばキーボードにおけるタブキーがテラーにより押下された場合には、データ削除部１１４は、図１１に示したように、項目欄５００ａに含まれる全てのフィールドの各々に入力されているフィールドデータをクリアする。そして、データ削除部１１４は、項目欄５００ａに含まれる全てのフィールドの各々に設定されていたプロテクト設定を解除する。なお、この際、表示制御部１１０は、削除後の取引金額の合計および削除後の手数料の合計を自動的に算出し、そして、算出した取引金額の合計および手数料の合計をそれぞれ合計取引金額表示欄５０２、または、合計手数料表示欄５０４に表示させる。
【００５３】
なお、図１１では、該当の項目欄に含まれる全てのフィールドをクリアする例を示したが、かかる例に限定されない。変形例として、削除対象の項目欄よりも後の項目欄に納付データが入力済みである場合には、データ削除部１１４は、図１２に示したように、削除対象の項目欄よりも後の項目欄に入力済みの納付データを一つずつ前の項目欄にずらし、かつ、納付データが入力済みの一番後ろである項目欄の次の項目欄における所定の種類のフィールド（例えば、種別フィールド）にカーソルを移動させてもよい。
【００５４】
なお、自動入力された納付データがテラーにより削除される場合の具体例としては、例えばプログラムの重大なバグが発見された場合やシステムエラーが発生した場合などが挙げられる。
【００５５】
［２−１−９．取引実行部１１６］
取引実行部１１６は、税公金納付画面において入力された納付データに基づいた取引の実行要求をホスト３０へ通信部１２０に送信させる。例えば、取引実行部１１６は、税公金納付画面において取引実行キーがユーザにより選択された場合に、入力済みの全ての納付データに基づいた取引の実行要求をホスト３０へ通信部１２０に送信させる。
【００５６】
［２−１−１０．通信部１２０］
通信部１２０は、例えば専用網３２を介して、他の装置との間で情報の送受信を行う。例えば、通信部１２０は、取引実行部１１６の制御により、取引の実行要求をホスト３０へ送信する。また、通信部１２０は、取引の実行結果をホスト３０から受信する。
【００５７】
［２−１−１１．表示部１２２］
表示部１２２は、表示制御部１１０の制御に従って、各種の表示画面を表示する。
【００５８】
［２−１−１２．入力部１２４］
入力部１２４は、本発明におけるキー入力部の一例である。この入力部１２４は、テラーによる各種の入力操作を受け付ける。例えば、入力部１２４は、キー入力による納付データの入力を受け付ける。
【００５９】
［２−１−１３．スキャン部１２６］
スキャン部１２６は、紙媒体を光学的に読み取り、デジタル静止画像として記録する。例えば、スキャン部１２６は、配置された紙媒体に光を当て、その反射光を撮像素子で電気信号に変換することにより、紙媒体をデジタル画像として記録する。なお、スキャン部１２６は、例えば税公金納付依頼書に印刷されているバーコードだけなど、紙媒体のうち一部の領域だけをスキャンすることも可能である。
【００６０】
［２−１−１４．記憶部１２８］
記憶部１２８は、例えば税公金マスタ１３０などの各種のデータを記憶する。
【００６１】
なお、営業店端末１０の構成は、上述した構成に限定されない。例えば、スキャン部１２６、または、記憶部１２８は、営業店端末１０に含まれる代わりに、営業店端末１０と通信可能な独立した装置としてそれぞれ構成されてもよい。また、税公金マスタ１３０は、記憶部１２８に記憶される代わりに、営業店端末１０と通信可能な他の装置（図示省略）に記憶されることも可能である。
【００６２】
＜２−２．動作＞
以上、本実施形態による構成について説明した。続いて、本実施形態による動作について、図１３および図１４を参照して説明する。なお、以下では、顧客が税公金納付依頼書を窓口４に持参し、テラーに手続を依頼する場面における動作例について説明する。
【００６３】
図１３に示したように、まず、営業店端末１０の表示制御部１１０は、例えば入力部１２４に対するテラーの入力に基づいて、税公金納付画面を表示部１２２に表示させる（Ｓ１０１）。
【００６４】
窓口４に顧客が到着すると、テラーは、顧客から税公金納付依頼書を受け取る。そして、テラーは、受け取った税公金納付依頼書にバーコードが印刷されているか否かを確認する（Ｓ１０３）。税公金納付依頼書にバーコードが印刷されていない場合には（Ｓ１０３：Ｎｏ）、テラーは、税公金納付依頼書の記載に基づいて、例えば延滞金、督促手数料、および、手数料などの各種付加料金の金額を手計算する。そして、テラーは、税公金納付依頼書の記載、および、手計算した各種付加料金の金額に基づいて、税公金納付画面において納付データをキー入力する（Ｓ１０５）。その後、営業店端末１０は、後述するＳ１２９の動作を行う。
【００６５】
一方、税公金納付依頼書にバーコードが印刷されている場合には（Ｓ１０３：Ｙｅｓ）、テラーは、税公金納付依頼書に印刷されているバーコードを営業店端末１０のスキャン部１２６にスキャンさせる。そして、営業店端末１０の納付データ取得部１０２は、スキャンされたバーコードの画像に基づいてバーコードデータを読み取る（Ｓ１０７）。
【００６６】
続いて、データ入力部１０８は、Ｓ１０７で読み取られたバーコードデータが、Ｓ１０１における税公金納付画面の表示後に読み取られたバーコードデータのいずれかと同一であるか否かを判定する（Ｓ１０９）。同じバーコードデータがすでに読み取られている場合には（Ｓ１０９：Ｙｅｓ）、表示制御部１１０は、エラーメッセージを税公金納付画面に表示させる（Ｓ１１１）。その後、営業店端末１０は、再びＳ１０３の動作を行う。
【００６７】
一方、同じバーコードデータが読み取られていない場合には（Ｓ１０９：Ｎｏ）、納付データ取得部１０２は、Ｓ１０７で読み取られたバーコードデータと、営業店端末１０が設置されている営業店の店舗情報とに基づいて、税公金マスタ１３０を参照することにより納付データを取得する（Ｓ１１３）。
【００６８】
ここで、図１４を参照して、Ｓ１１３よりも後の動作について説明する。図１４に示したように、Ｓ１１３の後、データ入力部１０８は、税公金納付画面において現在カーソルが位置する項目欄に含まれるいずれかのフィールドにデータが入力済みであるか否かを判定する（Ｓ１２１）。該当の項目欄に含まれるいずれかのフィールドにデータが入力済みである場合には（Ｓ１２１：Ｙｅｓ）、データ入力部１０８は、Ｓ１１３で取得された納付データを破棄する（Ｓ１２３）。そして、営業店端末１０は、再びＳ１０３の動作を行う。
【００６９】
一方、該当の項目欄におけるいずれのフィールドにもデータが入力されていない場合には（Ｓ１２１：Ｎｏ）、データ入力部１０８は、Ｓ１１３で取得された納付データに含まれる複数のフィールドデータの各々を、該当の項目欄における複数のフィールドの各々に自動入力する。そして、表示制御部１１０は、入力された納付データを該当の項目欄に表示させる（Ｓ１２５）。
【００７０】
続いて、フィールド設定部１１２は、Ｓ１２５で納付データが入力された項目欄に含まれる複数のフィールドのうち「種別フィールド」以外の全てのフィールドの各々にプロテクト設定を行う（Ｓ１２７）。
【００７１】
続いて、表示制御部１１０は、すでに入力済みの全ての納付データにおける取引金額の合計、および、全ての納付データにおける手数料の合計を再計算する。そして、表示制御部１１０は、再計算の結果に基づいて、税公金納付画面に表示されている、取引金額の合計金額および手数料の合計金額を更新する（Ｓ１２９）。
【００７２】
続いて、表示制御部１１０は、Ｓ１２５で納付データが入力された項目欄の次の項目欄における「種別フィールド」にカーソルを移動させる（Ｓ１３１）。
【００７３】
その後、制御部１００は、税公金納付画面においてテラーにより取引の実行キーが選択されたか否かを判定する（Ｓ１３３）。実行キーが選択されなかった場合には（Ｓ１３３：Ｎｏ）、営業店端末１０は、再びＳ１０３の動作を行う。
【００７４】
一方、実行キーが選択された場合には（Ｓ１３３：Ｙｅｓ）、取引実行部１１６は、入力済みの全ての納付データに基づいた取引の実行要求をホスト３０へ通信部１２０に送信させる（Ｓ１３５）。
【００７５】
＜２−３．効果＞
［２−３−１．効果１］
以上、例えば図４、図１３、および図１４などを参照して説明したように、本実施形態による営業店端末１０は、バーコード付き納付依頼書に含まれるバーコードをスキャンすることにより、当該バーコードに対応する納付データを自動的に取得し、そして、税公金納付画面における一つの項目欄に、取得した納付データを自動入力する。このため、テラーの入力作業の負担を軽減することができ、かつ、入力ミスを防止することができる。また、手数料などの付加料金をテラーが手計算する作業が不要となる。
【００７６】
［２−３−２．効果２］
また、本実施形態によれば、同一の税公金納付画面において、バーコードの読み取りによるデータ入力だけでなく、テラーによる納付データのキー入力も可能とする。このため、例えば、バーコード付き納付依頼書およびバーコード無し納付依頼書が混在した状態で複数の納付依頼書を顧客から受け取った場合でも、テラーは、同一の税公金納付画面において、当該複数の納付依頼書に対応する納付データの入力、および、取引の実行を行うことができる。
【００７７】
［２−３−３．効果３］
また、営業店端末１０は、バーコードの読み取りに基づいて納付データが取得された場合には、取得された納付データに含まれる複数のフィールドデータの各々を一つの項目欄に含まれる複数のフィールドの各々に自動入力し、かつ、当該項目欄に含まれる複数のフィールドの各々をユーザが入力データを修正不可能で、かつ削除可能な形式に設定する。そして、営業店端末１０は、ユーザによりフィールドデータがフィールドにキー入力された場合には、該当のフィールドをユーザが入力データを修正可能な形式に設定する。このため、一旦入力された納付データの修正をテラーが希望する場合、納付データの入力方法に適した方法で納付データを修正することができる。例えば、バーコードの読み取りに基づいて入力された納付データに関しては納付データ単位で削除することができる。また、キー入力された納付データに関してはフィールドデータ単位で修正、または、削除することが可能である。その結果、複数の納付データを入力する場面において、テラーの入力作業を効率化させることができる。
【００７８】
［２−３−４．効果４］
また、税公金納付画面においてカーソルが位置する項目欄に含まれる少なくとも１以上のフィールドにデータが入力されている状態で、バーコードの読み取りに基づいて納付データが取得された場合には、営業店端末１０は、取得された納付データをいずれの項目欄にも入力しない。つまり、カーソルが位置する項目欄に含まれる全てのフィールドが未入力である場合にのみ、バーコードの読み取りに基づいた納付データの入力が許可される。このため、テラーのオペレーションミスの発生を防止することができる。
【００７９】
＜＜３．ハードウェア構成＞＞
次に、本実施形態による営業店端末１０のハードウェア構成について、図１５を参照して説明する。図１５に示したように、営業店端末１０は、ＣＰＵ１５０、ＲＯＭ（Ｒｅａｄ  Ｏｎｌｙ  Ｍｅｍｏｒｙ）１５２、ＲＡＭ１５４、内部バス１５６、入出力インターフェース１５８、入力装置１６０、表示装置１６２、ＨＤＤ（Ｈａｒｄ  Ｄｉｓｋ  Ｄｒｉｖｅ）１６４、およびネットワークインターフェース１６６を備える。
【００８０】
ＣＰＵ１５０は、演算処理装置および制御装置として機能し、各種プログラムに従って営業店端末１０内の動作全般を制御する。また、ＣＰＵ１５０は、制御部１００の機能を実現する。なお、ＣＰＵ１５０は、マイクロプロセッサなどのプロセッサにより構成される。
【００８１】
ＲＯＭ１５２は、ＣＰＵ１５０が使用するプログラムや演算パラメータなどを記憶する。
【００８２】
ＲＡＭ１５４は、ＣＰＵ１５０の実行において使用するプログラムや、その実行において適宜変化するパラメータなどを一時記憶する。
【００８３】
内部バス１５６は、ＣＰＵバスなどから構成される。この内部バス１５６は、ＣＰＵ１５０、ＲＯＭ１５２、およびＲＡＭ１５４を相互に接続する。
【００８４】
入出力インターフェース１５８は、入力装置１６０、表示装置１６２、ＨＤＤ１６４、およびネットワークインターフェース１６６を、内部バス１５６と接続する。例えばＨＤＤ１６４は、この入出力インターフェース１５８および内部バス１５６を介して、ＲＡＭ１５４などとの間でデータをやり取りする。
【００８５】
入力装置１６０は、例えばキーボード、マウス、ボタン、マイクロフォン、およびスイッチなどユーザが情報を入力するための入力手段と、ユーザによる入力に基づいて入力信号を生成し、ＣＰＵ１５０に出力する入力制御回路などから構成されている。この入力装置１６０は、入力部１２４として機能する。
【００８６】
表示装置１６２は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置およびランプなどを含む。この表示装置１６２は、表示部１２２として機能する。
【００８７】
ＨＤＤ１６４は、データ格納用の装置である。このＨＤＤ１６４は、例えば、記憶媒体、記憶媒体にデータを記録する記録装置、記憶媒体からデータを読み出す読出し装置、および記憶媒体に記録されたデータを削除する削除装置などを含む。また、ＨＤＤ１６４は、ＣＰＵ１５０が実行するプログラムや各種データを格納する。
【００８８】
ネットワークインターフェース１６６は、例えば専用網３２に接続するための通信デバイスなどで構成された通信インターフェースである。このネットワークインターフェース１６６は、通信部１２０として機能する。なお、ネットワークインターフェース１６６は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。
【００８９】
＜＜４．変形例＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９０】
例えば、プロテクト設定されたフィールドにカーソルが位置する状態で、キーボードにおけるいずれかの入力キーがテラーにより押下された場合には、営業店端末１０（の表示制御部１１０）は、「修正不可。削除のみ可能」のようなエラーメッセージを税公金納付画面における所定の領域に表示させたり、または、ポップアップで表示させてもよい。
【００９１】
また、上述した各実施形態の動作における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。
【００９２】
また、上述した実施形態では、営業店端末１０が、金融機関の営業店２における取引システムに適用される例について説明したが、本発明はかかる例に限定されない。営業店端末１０は、バーコードが印刷された帳票の読み取りに基づいて処理を行うシステム全般に適用可能である。
【００９３】
また、本実施形態によれば、ＣＰＵ１５０、ＲＯＭ１５２、およびＲＡＭ１５４などのハードウェアを、本実施形態による営業店端末１０の各構成と同等の機能を発揮させるためのコンピュータプログラムも提供可能である。また、該コンピュータプログラムが記録された記録媒体も提供される。
【符号の説明】
【００９４】
１０  営業店端末
２０  サーバ
２２、１３０  税公金マスタ
３０  ホスト
３２  専用網
１００  制御部
１０２  納付データ取得部
１０４  バーコードデータ取得部
１０６  付加料金データ取得部
１０８  データ入力部
１１０  表示制御部
１１２  フィールド設定部
１１４  データ削除部
１１６  取引実行部
１２０  通信部
１２２  表示部
１２４  入力部
１２６  スキャン部
１２８  記憶部
【図１】
0006540369.tif 000002
【図２】
0006540369.tif 000003
【図３】
0006540369.tif 000004
【図４】
0006540369.tif 000005
【図５】
0006540369.tif 000006
【図６】
0006540369.tif 000007
【図７】
0006540369.tif 000008
【図８】
0006540369.tif 000009
【図９】
0006540369.tif 000010
【図１０】
0006540369.tif 000011
【図１１】
0006540369.tif 000012
【図１２】
0006540369.tif 000013
【図１３】
0006540369.tif 000014
【図１４】
0006540369.tif 000015
【図１５】
0006540369.tif 000016